(57)【特許請求の範囲】
【請求項１】
遊技機及びその関連設備を装備する遊技機島であって、遊技機設置板の上部に遊技機を設置し、下部にベース部材及び床固定取付ベースを設けた遊技機島において、
ベース部材は、底面を有するとともに上面を開放した箱形に形成され、床固定取付ベースは、箱形形状をなし、
ベース部材内側の長手方向底面隅部にベース部材補強板を設けるとともに、ベース部材の底面を、床固定取付ベースの上面とベース部材補強板の面とで挟持して、床固定取付ベースとベース部材を連結具にて垂直方向に接続しており、
ベース部材の遊技者側の面が遊技機の前面より内側に位置することを特徴とする遊技機島。
【請求項２】
遊技機設置板はベース部材の上方に該ベース部材に接続されており、ベース部材および遊技機設置板の上部に上部補強用支柱が立設されている、請求項１記載の遊技機島。
【請求項３】
ベース部材の長手方向の両側面内側に角材が傾斜をもたされて設けられており、且つ、玉を流下させるためのアウト樋がベース部材の内部に該アウト樋の両側端部を前記角材に架け渡して設けられている、請求項１または２記載の遊技機島。
【請求項４】
ベース部材には該ベース部材の短手方向に梁が設けられている、請求項１から３のいずれかに記載の遊技機島。
【請求項５】
遊技機設置板をベース部材の上部に支持する遊技機設置板補強板が、遊技機設置板の外側面上部に設けられている、請求項１から４のいずれかに記載の遊技機島。
【請求項６】
水平長手方向に並べて接続した箱形形状の床固定取付ベースを遊技場の床面に水平に固定し、次いで、上面を開放した箱形のベース部材の底面を、床固定取付ベースの上面と、ベース部材内側の長手方向底面隅部に設けられたベース部材補強板の面とで挟持して、さらに、床固定取付ベースとベース部材とを連結具にて垂直方向に接続し、ベース部材の上部に遊技機設置板を接続し、ベース部材および遊技機設置板の上部に上部補強用支柱を立設し、しかる後、遊技機設置板の上部に遊技機を設置する際に、ベース部材の遊技者側の面が遊技機の前面より内側に位置するように設置することを特徴とする遊技機島の製造方法。
【発明の詳細な説明】
【０００１】
【発明の属する技術分野】
本発明は、複数の遊技機とその関連設備を装備する遊技機島に関する。
【０００２】
【従来の技術】
従来の遊技機島（図５）は、土台３１の上に支柱３２を立て、該支柱に、幕板３３、ランプ板３４、遊技機設置板（善板）３５、アウト樋（ドブ樋）３６を取付け、さらに、遊技機・関連設備３７が多数取り付けても、それらの荷重に耐え得るだけの強度や安全性が必要であるため、遊技機島３０における土台３１部分の短手方向の幅が約４５０〜５５０mm程度のものを用いていた。これは、遊技者にとっては、足下にスペースがなく、遊技機島３０より多少遠ざけてイスに座らざるをえず、長時間の遊技を行う際には、疲れてしまうという問題点があった。
【０００３】
一方、遊技場経営者にとっては、店内には、多数の遊技機３７を設置させ、且つ、遊技機島３０間の通路幅は広く設けたいという希望があるが、多数の遊技機３７（遊技機島３０）を設置させるには、通路幅を狭くする必要があり、また、通路幅を広く設けるには、遊技機３７の設置台数（遊技機島３０）を減らすしかなく、両方の希望を満たすような遊技機島の設置は困難であった。
【０００４】
また、従来は、遊技機島３０を工場で組み立てた後（ほぼ完成した状態）に、遊技場に搬入していたため、搬入が容易でなく、また、遊技場への設置も人手が多く必要となるため、決して容易なものではなかった。
【０００５】
【発明が解決しようとする課題】
本発明は、上述した問題点を解決するためになされたもので、遊技機島の土台部分に箱形構造を採用することにより、該土台部分の幅を従来品に比べ狭くし、且つ、従来同様の強度を有する遊技機島及び組立が容易な遊技機島の製造方法を提供することを目的とする。
【０００６】
【課題を解決するための手段】
本発明は、（１）遊技機及びその関連設備を装備する遊技機島であって、遊技機設置板の上部に遊技機を設置し、下部にベース部材及び床固定取付ベースを設けた遊技機島において、ベース部材は、底面を有するとともに上面を開放した箱形に形成され、床固定取付ベースは、箱形形状をなし、ベース部材内側の長手方向底面隅部にベース部材補強板を設けるとともに、ベース部材の底面を、床固定取付ベースの上面とベース部材補強板の面とで挟持して、床固定取付ベースとベース部材を連結具にて垂直方向に接続しており、ベース部材の遊技者側の面が遊技機の前面より内側に位置することを特徴とする遊技機島、（２）遊技機設置板はベース部材の上方に該ベース部材に接続されており、ベース部材および遊技機設置板の上部に上部補強用支柱が立設されている上記（１）に記載の遊技機島、（３）ベース部材の長手方向の両側面内側に角材が傾斜をもたされて設けられており、且つ、玉を流下させるためのアウト樋がベース部材の内部に該アウト樋の両側端部を前記角材に架け渡して設けられている、上記（１）又は（２）に記載の遊技機島、（４）ベース部材には該ベース部材の短手方向に梁が設けられている、上記（１）〜（３）のいずれかに記載の遊技機島、（５）  遊技機設置板をベース部材の上部に支持する遊技機設置板補強板が、遊技機設置板の外側面上部に設けられている、上記（１）〜（４）のいずれかに記載の遊技機島、（６）水平長手方向に並べて接続した箱形形状の床固定取付ベースを遊技場の床面に水平に固定し、次いで、上面を開放した箱形のベース部材の底面を、床固定取付ベースの上面と、ベース部材内側の長手方向底面隅部に設けられたベース部材補強板の面とで挟持して、さらに、床固定取付ベースとベース部材とを連結具にて垂直方向に接続し、ベース部材の上部に遊技機設置板を接続し、ベース部材および遊技機設置板の上部に上部補強用支柱を立設し、しかる後、遊技機設置板の上部に遊技機を設置する際に、ベース部材の遊技者側の面が遊技機の前面より内側に位置するように設置することを特徴とする遊技機島の製造方法である。
【０００７】
【発明の実施の形態】
以下、図面に基づき本発明遊技機島を詳細に説明する。図１は、本発明遊技機島の一実施例をあらわす縦断面概略図、図２は、図１における実施例の分割状態をあらわす図面である。本発明遊技機島１は、床面５に固定した床固定取付ベース３の上面と、ベース部材補強板４でベース部材２の底面を挟持して床固定取付ベース３とベース部材２を垂直方向に接続している。また、ベース部材２の上方に、遊技機設置板６ａ，６ｂを接続し、その上に上部補強用支柱７を立設している。該上部補強用支柱７に遊技機及びその関連設備８、幕板（図示しない）、ランプ板（図示しない）が取り付けられている。
【０００８】
ベース部材２は、上面が解放した箱形の構造を有する。ベース部材内部を通るアウト樋９の高さに応じて、ベース部材２における短手方向の側面板の底部からの高さは、適宜変えられる。ベース部材２の上面部には、補強のために短手方向に渡り、梁２２が所定数設けられている。また、ベース部材２を箱形に形成することで、遊技機島１の荷重を箱体全体で受けるため、従来に比べ、強度が向上する。
【０００９】
ベース部材２を構成する側面板、底面板、上面部の梁２２同士は、接着剤、木ねじ、釘等で接続されているが、板、梁２２の破損、強度低下を防ぐため、接着剤を用いるのが好ましい。また、板、梁２２の材質は、木材、合成樹脂、鋼、硬質紙等が挙げられるが、加工容易性、経済性に優れる木材が好ましい。
【００１０】
ベース部材２は、ユニット化されているため、遊技場に設置する際、レイアウトに応じて、長手方向に連接して用いられる。ベース部材２が特に木材からなる場合は、長手方向の側面板のつき合わせ面同士は、さね継ぎ又はだぼ加工により接続すると強固に一体化される。尚、さね継ぎ、だぼ加工とは、板の接合方法の一つで、さね継ぎは、一方の板の側面には溝を掘り、他方の板の側面には細長い突起を設けて板同士をはぎ合わせることをいい、だぼ加工は、接合する両方の板の側面に溝を掘って、それに合う大きさの細い棒を差し込んで板を継ぐことをいう。
【００１１】
遊技機島１に、遊技機島及びその関連設備８を取り付けた状態では、ベース部材２の遊技者側の面が、遊技機８の前面より内側に位置するように形成されている。そのため、遊技機島１におけるベース部材２の幅は狭くすることができ、遊技者の足下にスペースを設けることが可能となり、遊技者は、足を延ばす等により、楽に遊技を行うことができ、長期間の遊技を楽しむことができる。具体的には、ベース部材２の幅は、約１８０〜２２０mm程度にすることが可能である（従来は、約４５０〜５５０mm程度）。なお、遊技機８の前面とは、例えば、遊技機８の遊技盤、上球皿、下球皿、打球発射装置（ハンドル部）等のことをいう。
【００１２】
ベース部材２と床固定取付ベース３の接続には、断面略Ｌ字状のベース部材補強板４をベース部材２内側の長手方向底面隅部に設け、ベース部材２の底面を、床固定取付ベース３の上面とベース部材補強板４で挟持して、ボルトとナット等の連結具２０を用いて、垂直方向に接続する。これにより、ベース部材２は、ベース部材補強板４と面により接続されることで、従来の連結具のみにより荷重を点で受けて接合する場合に比べてベース部材２の破損、収縮等を防ぐことができ、耐久性が向上する。
【００１３】
ベース部材２における長手方向の両側面内側には、アウト樋９を架設するための角材１０が、玉を貯留タンクへ流下させるために傾斜をもたせて、設けられている。アウト樋９は、その両側端部を角材１０に架け渡してベース部材２の内部に設けられる。アウト樋９には、例えば、ＭＣナイロン（モノマー注型ナイロン）等の摩擦特性の非常に優れている材質が用いられる。
【００１４】
ベース部材２は、従来に比べて、幅を狭く形成できるため、アウト樋９の幅が狭くて済み、玉の重み等で撓むこともないので、アウト樋９の傾斜精度が高く、傾斜角度が小さくても、玉の流下（転がり）が確保される。このため、多くの遊技機を並べるために、遊技機島８全体を長くしても、アウト樋９の途中に中間リフト等を設ける必要がなく、大幅なコスト削減を図ることができる。
【００１５】
床固定取付ベース３は、ベース部材２を床面５に対し、水平に維持するため、ベース部材２と床面５の間に設けられたものである。図４は、床固定取付ベース３の概略展開斜視図である。床固定取付ベース３は、箱形形状をなしており、該上面には、ベース部材２と接合するためのベース部材接続用穴部１１が所定の数ヶ所に設けられている。また、上面の略中央部には、長手方向に渡って、上面開口部２１が設けられている。該上面開口部２１により、床固定取付ベース３の床面５へ設置の際、床面接続用穴部１２へのアンカーボルト１９の取り付けが容易になると共に、床固定取付ベース３同士を水平長手方向に接合する際、床固定取付ベース接続用穴部１３、接続用ピン穴１５へ、それぞれ接合部材１７、ピン１６の取り付けが容易となる。加えて、電源コード等の床固定取付ベース３内での配線が楽に行うことができる。該下面には、床面と接合するための床面接続用穴部１２が所定の数ヶ所に設けられている。また、短手方向の側面には、床固定取付ベース３を水平長手方向に並べた際、相対向する箇所に、床固定取付ベース接続用穴部１３、配線用穴部１４、接続用ピン穴１５が穿設されている。床固定取付ベース接続用穴部１３は、床固定取付ベース３同士を接合部材１７（例えば、ボルトとナット等）で接続するためのものである。配線用穴部１４は、電源コード等を配線するために用いられるものである。接続用ピン穴１５は、接合部材１７で固定する前に複数の床固定取付ベース３同士が水平になるようにピン１６を嵌入するためのものである。これにより、床面が多少凹凸を有していたとしても、遊技機島１全体の水平バランスを一定に保つことが可能となる。
【００１６】
遊技機設置板６ａ，６ｂがベース部材２の上部に遊技機設置板補強板１８により支持されて設けられている。本実施例は、遊技機設置板６ａ，６ｂが二枚重ねたものを用いているが、遊技機島１の設置条件に応じて、一枚又は三枚以上重ねたものを用いてもよい。
【００１７】
上部補強用支柱７は、遊技機島１の上部を支えるための柱であり、遊技機及びその関連設備８、幕板、ランプ板等を支持する役割を果たす。上部補強用支柱７は、遊技機島１の長さに応じて、ベース部材２の上部に複数箇所立設される。尚、図３は、遊技機島１の一ユニットをあらわす概略斜視図である。
【００１８】
次に、本発明遊技機島の製造方法について順を追って説明する。
（１）遊技場の床面５に、所定数の床固定取付ベース３を、該側面に設けられた相対向する接続用ピン穴１５にピン１６を嵌入して、水平長手方向に並べる。この際、床固定取付ベース３の上面が水平になるようにピン１６で調整を図る。
【００１９】
（２）水平状態を確保したまま、床固定取付ベース３同士を床固定取付ベース接続用穴部１３に接合部材１７を用いて接続し、床固定取付ベース３全体を床面接続用穴部１２にアンカーボルト１９を用いて床面５に固定する。
【００２０】
（３）ベース部材２の底面を床固定取付ベース３の上面とベース部材補強板４で接合部材２０を用いて挟持して、床固定取付ベース３とベース部材２を垂直上方に接続する。
【００２１】
（４）ベース部材２の上方に遊技機設置板６ａ，６ｂ、上部補強用支柱７を設置する。
【００２２】
（５）遊技機設置板６ａ，６ｂの上部に遊技機８を設置する際、ベース部材２の遊技者側の面が遊技機８の前面より内側に位置するように設置する。
【００２３】
尚、床固定取付ベース３に接続する前又は後に、ベース部材２長手方向側面の内側に、角材１０を設け、アウト樋９を架設する。
【００２４】
このように本発明遊技機島の製造方法は、遊技機島の構成部品を遊技場で組み立てることができる（ユニット化）。そのため、床面の多少の凹凸の有無にかかわらず、遊技機島の水平バランスの調整が容易に行える。また、遊技場に遊技機島を設置する際、レイアウトの自由度が増す。さらに、搬入、在庫管理が容易となる。その結果、遊技機島の迅速な組立が可能で、経済性の優れたものとなる。
【００２５】
【発明の効果】
以上、説明したとおり、請求項１の構成を採用することにより、従来の強度、安定性を維持したまま、ベース部材の幅を狭めることができ、遊技者の足下にスペースを設けることができるため、遊技者は、足を延ばす等により、楽に長時間の遊技を楽しむことができる。一方、遊技場経営者からみれば、遊技機島間の通路幅を確保したまま、遊技機島間の距離を狭めることができるため、遊技機の設置台数を増やすことができる。
【００２６】
請求項２の構成を採用することにより、ベース部材にかかる遊技機島全体の荷重を分散して箱体全体で支持することができため、強度が向上する。
【００２７】
請求項３の構成を採用することにより、ベース部材は、ベース部材補強板と面により接続されることで、従来の連結具のみにより荷重を点で受けて接合する場合に比べてベース部材の破損、収縮等を防ぐことができ、耐久性が向上する。
【００２８】
請求項４の構成を採用することにより、遊技機島全体の水平バランスを一定に保つことが容易となる。
【００２９】
請求項５の構成を採用することにより、隣接するベース部材間を強固に接続することができる。
【００３０】
請求項６の構成を採用することにより、床面の多少の凹凸の有無にかかわらず、遊技機島の水平バランスの調整が容易に行える。また、遊技場に遊技機島を設置する際、レイアウトの自由度が増す。さらに、搬入、在庫管理が容易となる。その結果、遊技機島の迅速な組立が可能で、経済性の優れたものとなる。
【図面の簡単な説明】
【図１】本発明遊技機島の一実施例をあらわす縦断面概略図
【図２】図１における実施例の分割状態をあらわす図面
【図３】遊技機島の一ユニットをあらわす概略斜視図
【図４】床固定取付ベースの概略展開斜視図
【図５】従来技術をあらわす縦断面概略図
【符号の説明】
１  遊技機島
２  ベース部材
３  床固定取付ベース
４  ベース部材補強板
８  遊技機及びその関連設備
【図１】
0004060569.tif 000002
【図２】
0004060569.tif 000003
【図３】
0004060569.tif 000004
【図４】
0004060569.tif 000005
【図５】
0004060569.tif 000006